【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
第１の発光器と、前記第１の発光器を第１の発光制御態様で駆動する第１の駆動回路と、第２の発光器と、前記第２の発光器を、前記第１の発光制御態様と異なる第２の発光制御態様で駆動する第２の駆動回路を備える遊技機であって、
制御回路と、切替回路を備え、
前記第１の駆動回路は、入力されたシリアル信号に基づいて、前記第１の発光器を前記第１の発光制御態様で駆動し、
前記第２の駆動回路は、入力されたシリアル信号に基づいて、前記第２の発光器を第２の発光制御態様で駆動し、
前記制御回路は、遊技状態に応じて、前記第１の駆動回路への第１のシリアル信号あるいは前記第２の駆動回路への第２のシリアル信号を含むシリアル信号と、シリアル信号の出力先を示す選択信号を前記切替回路に出力し、
前記切替回路は、入力された選択信号が第１の駆動回路を示している場合には、入力されたシリアル信号を前記第１の駆動回路に出力し、入力された選択信号が第２の駆動回路を示している場合には、入力されたシリアル信号を前記第２の駆動回路に出力するように構成されていることを特徴とする遊技機。
【請求項２】
請求項１に記載の遊技機であって、
前記選択信号は、２値信号である第１の選択信号と第２の選択信号により構成され、
前記制御回路は、前記第１の駆動回路を示す選択信号を出力する場合には、前記第１の選択信号を２値のうちの一方の値に設定するとともに、前記第２の選択信号を２値のうちの他方の値に設定し、前記第２の駆動回路を示す選択信号を出力する場合には、前記第１の選択信号を２値のうちの他方の値に設定するとともに、前記第２の選択信号を２値のうちの一方の値に設定し、
前記切替回路は、入力された第１の選択信号が２値のうちの一方の値であり、入力された第２の選択信号が２値のうちの他方の値である場合には、入力されたシリアル信号を前記第１の駆動回路に出力し、入力された第１の選択信号が２値のうちの他方の値であり、入力された第２の選択信号が２値のうちの一方の値である場合には、入力されたシリアル信号を前記第２の駆動回路に出力するように構成されていることを特徴とする遊技機。
【請求項３】
請求項１または２に記載の遊技機であって、
音発生器と、第３の駆動回路を備え、
前記第３の駆動回路は、入力されたシリアル信号に基づいて、前記音発生器を駆動し、
前記制御回路は、遊技状態に応じて、第３のシリアル信号を含むシリアル信号を前記第３の駆動回路に出力することを特徴とする遊技機。
【手続補正２】
【補正対象書類名】明細書
【補正対象項目名】０００５
【補正方法】変更
【補正の内容】
【０００５】
前記課題を解決するための第１発明は、請求項１に記載されたとおりの遊技機である。本発明の遊技機には、パチンコ機やスロットマシン等の種々の構成の遊技機が包含される。
本発明は、演出装置として用いられる第１の発光器と第２の発光器、第１の発光器を駆動する第１の駆動回路と第２の発光器を駆動する第２の駆動回路を備えている。第１の駆動回路は、入力されるシリアル信号に基づいて第１の発光器をダイナミック制御態様で駆動し、第２の駆動回路は、入力されるシリアル信号に基づいて第２の発光器を階調制御態様で駆動する。第１の発光器と第２の発光器としては、典型的にはＬＥＤが用いられる。勿論、ＬＥＤ以外の発光器を用いることもできるし、第１の発光器と第２の発光器として異なる発光器を用いることもできる。また、第１の発光器としては、典型的には、７セグメント表示器を形成する発光器やドットマトリクス表示器を形成する発光器が用いられる。第１の発光器及び第２の発光器の数や配置位置、第１の駆動回路及び第２の駆動回路の数等は、適宜選択可能である。
また、本発明は、制御回路と、切替回路を備えている。切替回路は、制御回路と第１及び第２の駆動回路の間に配置されている。制御回路は、遊技状態に応じて、第１の駆動回路への第１のシリアル信号あるいは第２の駆動回路への第２のシリアル信号を含むシリアル信号と、シリアル信号の出力先を示す選択信号を切替回路に出力する。本発明の制御回路は、典型的には、主制御回路から出力される主制御信号が入力される副制御回路が対応する。また、制御回路は、シリアル信号と選択信号を出力可能であればよい。切替回路は、入力された選択信号が第１の駆動回路を示している場合には、入力されたシリアル信号を第１の駆動回路に出力し、入力された選択信号が第２の駆動回路を示している場合には、入力されたシリアル信号を第２の駆動回路に出力するように構成されている。
典型的には、制御回路は制御回路基板に配設され、第１及び第２の駆動回路と切替回路は駆動基板に配設される。駆動基板には、シリアル信号が入力される第１の端子と、選択信号が入力される第２の端子が設けられ、切替回路は、第１の端子からシリアル信号を入力し、第２の端子から選択信号を入力する。
第２発明は、請求項２に記載されたとおりの遊技機である。
請求項２に記載の遊技機では、選択信号を２値信号である第１の選択信号と第２の選択信号により構成し、第１の駆動回路を示す選択信号を出力する場合には、第１の選択信号を２値のうちの一方の値に設定するとともに、第２の選択信号を２値のうちの他方の値に設定し、一方、第２の駆動回路を示す選択信号を出力する場合には、第１の選択信号を２値のうちの他方の値に設定するとともに、第２の選択信号を２値のうちの一方の値に設定する。そして、切替回路を、入力された第１の選択信号が２値のうちの一方の値であり、第２の選択信号が２値のうちの他方の値である場合には、選択信号が第１の駆動回路を指示していることを判別し、一方、入力された第１の選択信号が２値のうちの他方の値であり、第２の選択信号が２値のうちの一方の値である場合には、選択信号が第２の駆動回路を指示していることを判別するように構成する。
本発明の切替回路では、第１の選択信号と第２の選択信号が共に、２値のうちの一方の値となった場合には、シリアル信号の出力を禁止する。
これにより、ノイズの混入による第１の駆動回路及び第２の駆動回路の誤動作を防止することができる。
第３発明は、請求項３に記載されたとおりの遊技機である。
請求項３に記載の遊技機では、音発生器と、入力されるシリアル信号に基づいて音発生器を駆動する第３の駆動回路を備えている。そして、制御回路は、第３のシリアル信号を第３の駆動回路に出力する。第３のシリアル信号は、第１及び第２のシリアル信号と異なる信号経路を介して出力される。
本発明では、第１の発光制御態様で発光させる第１の発光器、第２の発光制御態様で発光させる第２の発光器及び音発生器を共通の制御回路で制御するため、より制御装置を小形化することができる。
【手続補正３】
【補正対象書類名】明細書
【補正対象項目名】０００６
【補正方法】変更
【補正の内容】
【０００６】
請求項１〜３に記載の遊技機では、制御回路からの、第１の駆動回路への第１のシリアル信号あるいは第２の駆動回路への第２のシリアル信号を含むシリアル信号を切替回路によって第１の駆動回路あるいは第２の駆動回路に出力するように構成している。これにより、制御回路のシリアルポート数を低減することができ、小形の制御回路を用いることができる。また、制御回路によって、第１及び第２の発光器を含む複数の演出装置を容易に制御することができる。